(57)【要約】【課題】  半田付けの作業に習熟していない作業者であっても、円滑に半田付けできる電線支持具を提供すること。【解決手段】  半田付けの作業に習熟していない作業者であっても、円滑に半田付けできる電線支持具を提供すること。電線支持具（１）は、立体形状の本体（１０）と、この本体に略平行に形成された複数のスリット（３０）と、を備える。この電線支持具（１）によれば、片手で半田鏝（７０）を把持した状態で、残る手で半田線（８０）および電線（５０）を取り扱うことがないため、半田付けの作業に習熟していない作業者であっても、円滑に半田付けできる場合がある。【選択図】        図５
2007030049.tif 000002
【特許請求の範囲】
【請求項１】
電線を支持する電線支持具であって、
立体形状の本体と、
この本体に略平行に形成された複数のスリットと、を備えることを特徴とする電線支持具。
【請求項２】
請求項１に記載の電線支持具であって、
前記本体は、弾力性を有する材質で形成されることを特徴とする電線支持具。
【請求項３】
請求項１または２に記載の電線支持具であって、
前記複数のスリットは、前記本体の一表面に形成され、その間隔は、表面側から内部側に向かって狭まるように形成されていることを特徴とする電線支持具。
【請求項４】
請求項１から３のいずれかに記載の電線支持具であって、
前記本体には、前記複数のスリットを区別するための表示がされている特徴とする電線支持具。
【発明の詳細な説明】
【技術分野】
【０００１】
本発明は、例えば、電線を支持する電線支持具に関する。
【背景技術】
【０００２】
従来より、手作業による電子部品の組み立てや加工において、半田付けの作業が行われる。この半田付け作業は、基板の端子と電線とを接合する作業であり、半田鏝と、半田線とが用いられる。
【０００３】
半田鏝は、作業者が把持するための断熱性材の柄と、この柄の一端に設けられた鏝芯と、を備える。鏝芯には電気抵抗体が内蔵され、この電気抵抗体は、電力が供給されると発熱して、鏝芯を高温にする（特許文献１）。
半田線は、錫、および鉛を主成分とする材料である。
【０００４】
手作業による半田付けは、例えば、以下のようになる。
まず、半田鏝の鏝芯を高温に熱した状態で、片手（例えば利き手）で半田鏝の柄を把持し、この半田鏝の鏝芯の先端を基板の端子に当てて、端子を加熱する。この状態で、残る片手で半田線を持ち、半田線の先端を端子に接触させて半田線を溶融して、半田を端子上に供給する。
その後、半田鏝の柄を把持して半田鏝の鏝芯が端子に接触した状態を維持しながら、半田線を端子から離し、半田線を電線に持ち換えて、この電線の先端を鏝芯に当てて加熱し、この電線の先端を端子上に溶融された半田に接触させる。その後、電線を保持した状態で、鏝芯の先端を端子から離すと、端子上の半田が冷却されて、電線の先端と基板の端子とが電気的に接合される。
【特許文献１】特開平６−２６９９３２号公報
【発明の開示】
【発明が解決しようとする課題】
【０００５】
上述のような手作業による半田付けの作業では、基板、電線および電子部品などが、鏝芯の熱により劣化するのを防止するために、手早く半田付けを行う必要があるにもかかわらず、利き手で半田鏝を把持した状態で、残る手で半田線および電線を取り扱うため、半田付け作業に習熟していない作業者は、半田付けに時間がかかる場合があった。
【０００６】
本発明は、上述の課題に鑑みてなされたものであり、半田付けの作業に習熟していない作業者であっても、円滑に半田付けできる電線支持具を提供することを目的とする。
【課題を解決するための手段】
【０００７】
（１）  電線を支持する電線支持具であって、立体形状の本体と、この本体に略平行に形成された複数のスリットと、を備えることを特徴とする電線支持具。
【０００８】
（１）記載の電線支持具によれば、電線支持具を、立体形状の本体と、この本体に略平行に形成された複数のスリットと、を含んで構成した。
よって、電線支持具を用いた半田付けの手順は、以下のようになる。
すなわち、まず、半田付けに用いる電線を、スリットに沿って差し込んでおき、この電線の先端が基板の端子上に接するように、電線支持具を配置する。続いて、片手（例えば利き手）で半田鏝の柄を把持し、この半田鏝の鏝芯の先端を基板の端子と、この端子に接する電線の先端とに当てて、これらを加熱する。この状態で、残る片手で半田線を持ち、半田線の先端を端子および電線の先端に接触させて半田線を溶融して、半田を端子および電線の先端に供給する。その後、鏝芯の先端を端子から離すと、端子上の半田が冷却されて、電線の先端と基板の端子とが電気的に接合される。
したがって、片手で半田鏝を把持した状態で、残る手で半田線および電線を取り扱うことがないため、半田付けの作業に習熟していない作業者であっても、円滑に半田付けできる場合がある。
【０００９】
（２）  （１）に記載の電線支持具において、前記本体は、弾力性を有する材質で形成されることを特徴とする電線支持具。
【００１０】
（２）記載の電線支持具によれば、本体を、弾力性を有する材質で形成した。よって、スリットの壁面の復元力により、電線をその外径に応じた強さで挟持できるので、径の異なる電線であっても、確実に保持できる場合がある。
【００１１】
（３）  （１）または（２）に記載の電線支持具において、前記複数のスリットは、前記本体の一表面に形成され、その間隔は、表面側から内部側に向かって狭まるように形成されていることを特徴とする電線支持具。
【００１２】
（３）記載の電線支持具によれば、複数のスリットを、本体の一表面に形成し、その間隔を、表面側から内部側に向かって狭まるように形成した。これにより、スリットの間隔は、表面側が広くなるので、電線をスリットに容易に差し込むことができる場合がある。
【００１３】
（４）  （１）から（３）のいずれかに記載の電線支持具において、前記本体には、前記複数のスリットを区別するための表示がされていることを特徴とする電線支持具。
【００１４】
（４）記載の電線支持具によれば、本体に、複数のスリットを区別するための表示をした。よって、電線をそれぞれ異なるスリットに差し込むだけで、見分けの付けにくい電線を基板に半田付けする場合であっても、間違えることなく半田付けできる場合がある。
【発明の効果】
【００１５】
本発明の電線支持具によれば、片手で半田鏝を把持した状態で、残る手で半田線および電線を取り扱うことがないため、半田付けの作業に習熟していない作業者であっても、円滑に半田付けできる場合がある。
【発明を実施するための最良の形態】
【００１６】
以下、実施例の電線支持具について説明する。
【００１７】
図１は、本発明の一実施例の電線支持具１の外観を示す斜視図である。
電線支持具１は、略直方体形状であり、弾力性を有する材質で形成された立体形状の本体１０と、この本体１０の上面１１に形成された２０本のスリット３０と、を備える。
スリット３０は、上面１１に一定間隔で互いに略平行に形成され、それぞれ上面１１の両端縁まで延びている。
【００１８】
図２は、本体１０に形成されたスリット３０の拡大図である。
スリット３０の上面１１側には、切り欠き部分３２が形成されており、これによりスリット３０の間隔は、つまりスリット３０の幅は、上面１１側から本体１０の内部側に向かって狭まるように形成される。なお、本実施例では、スリット３０を２０本形成したが、これに限らず、電線支持具１の用途に応じて、その数を増減してもよい。
【００１９】
本体１０の正面側には、２０本のスリット３０を区別するために、各スリット３０に対応して、１から２０までの番号が記されている。
また、本体１０の底面１２には、本体１０を安定に支持するために、図示しない板状のゴムが滑り止めとして貼り付けられている。
【００２０】
次に、図３および図４を参照して、電線支持具１の使用方法について説明する。
図３は、スリット３０に小径の電線５０Ｓを差し込んだ状態を示す拡大図である。
図４は、スリット３０に大径の電線５０Ｌを差し込んだ状態を示す拡大図である。
まず、１から２０までの番号が付されたスリット３０のうちのいずれかを選択し、この選択したスリット３０の切り欠き部分３２に、半田付けの対象となる電線５０Ｓ、５０Ｌを置く。その後、この電線５０Ｓ、５０Ｌを指で押して、スリット３０の奥に向かって押し込む。
すると、このスリット３０の壁面が弾性変形し、この壁面の電線５０の外径に応じた復元力により、電線５０が挟持される。
具体的には、図３に示すように、小径の電線５０Ｓをスリット３０に差し込んだ場合には、スリット３０の壁面が小さく変形するため、小さな復元力で電線５０Ｓを挟持する。一方、図４に示すように、大径の電線５０Ｌをスリット３０に差し込んだ場合には、スリット３０の壁面が大きく変形するため、大きな復元力で電線５０Ｌを挟持する。
【００２１】
次に、図５を参照しながら、以上の電線支持具１を用いた半田付けの手順について説明する。
以下で説明する半田付けにおいて、半田鏝７０および半田線８０が用いられる。
半田鏝７０は、作業者が把持するための断熱性材の柄７２と、この柄７２の一端に設けられた鏝芯７１と、を備える。この鏝芯７１には電気抵抗体が内蔵され、この電気抵抗体は、電力が供給されると発熱し、鏝芯７１を高温にする。
半田線８０は、錫、および鉛を主成分とする材料である。
【００２２】
半田付けの手順は以下のようになる。
まず、半田付けに用いる電線５０を、電線支持具１のスリット３０に差し込んでおき、この電線５０から露出した導線５１が基板６０の端子６１に接するように、電線支持具１を配置する。
【００２３】
続いて、片手（例えば利き手）で半田鏝７０の柄７２を持ち、この半田鏝７０の鏝芯７１の先端を、基板６０の端子６１と、この端子６１に接する導線５１とに当てて、これらを加熱する。この状態で、残る片手で半田線８０を持ち、半田線８０の先端を端子６１および導線５１に接触させて半田線８０を溶融して、半田を端子６１および導線５１に供給する。その後、鏝芯７１の先端を端子６１から離すと、端子６１上の半田が冷却されて、導線５１と、基板の端子６１とが電気的に接合される。
【００２４】
実施例によれば、以下のような効果がある。
（１）電線支持具１を、立体形状の本体１０と、この本体１０に略平行に形成された複数のスリット３０と、を含んで構成したので、片手で半田鏝７０を把持した状態で、残る手で半田線８０および電線５０を取り扱うことがないため、半田付けの作業に習熟していない作業者であっても、円滑に半田付けできる場合がある。
【００２５】
（２）本体１０を弾力性を有する材料で形成したので、スリット３０の壁面の復元力により、電線５０を外径に応じた強さで挟持できるから、径の異なる電線であっても、確実に保持できる場合がある。
【００２６】
（３）スリット３０に切り欠き部分３２を形成して、スリット３０の間隔を、上面１１側から本体１０の内部側に向かって狭まるように形成した。これにより、スリット３０の間隔は、上面１１側が広くなるので、電線５０を切り欠き部分３２に置くことにより、スリット３０に容易に差し込める場合がある。
【００２７】
（４）本体１０に、複数のスリット３０を区別するための表示をした。よって、異なる電線５０を、それぞれ異なるスリット３０に差し込むだけで、見分けの付けにくい電線５０を半田付けする場合であっても、間違えることなく半田付けできる場合がある。
【００２８】
以上、実施例について説明したが、本発明はこれに限られるものではない。
【００２９】
実施例では、電線支持具１の本体１０の形状を、直方体形状としたが、これに限られるものではない。例えば、本体１０の上面１１を、スリット３０の方向に沿った凸面とした形状、すなわち、カマボコ形状としてもよい。このようにすれば、高さ位置の異なるスリットを形成できるから、電線がスリットから延出する高さを調整できる。
【図面の簡単な説明】
【００３０】
【図１】本発明の一実施例に係る電線支持具の外観を示す斜視図である。
【図２】前記電線支持具の本体に形成されたスリットの拡大図である。
【図３】前記スリットに小径の電線を差し込んだ状態を示す拡大図である。
【図４】前記スリットに大径の電線を差し込んだ状態を示す拡大図である。
【図５】前記電線支持具を用いて半田付けを行う手順を説明するための図である。
【符号の説明】
【００３１】
１      電線支持具
１０    本体
３０    スリット
５０    電線
６０    基板
【図１】
2007030049.tif 000003
【図２】
2007030049.tif 000004
【図３】
2007030049.tif 000005
【図４】
2007030049.tif 000006
【図５】
2007030049.tif 000007